(57)【要約】【課題】扉体の軽量化を図ることができ、扉表面材が骨格部材から剥がれることを抑制できる止水扉を提供することを目的とする。【解決手段】止水扉は、構造物の開口に設けられる枠体と、枠体に回動可能に支持され開口を開閉する扉体５と、扉体５が開口を閉塞させる閉塞位置にある状態で、扉体５が枠体に押し付けられる押付方向Ｐにおいて枠体と扉体５との間に介在する枠状の止水部材を備える。扉体５は、骨格部材５４と、骨格部材５４の両面に取り付けられる扉表面材５５ａ，５５ｂとを備えている。屋内空間側の扉表面材５５ｂが、屋内空間側からねじ込まれるねじ５７により骨格部材５４に固定されていることを特徴とする。【選択図】図４
2015148096.tif 000002
【特許請求の範囲】
【請求項１】
構造物の屋外空間側と屋内空間側とを連通する開口に設けられる枠体と、
前記枠体に回動可能に支持され前記開口を開閉する扉体と、
前記扉体が前記開口を閉塞させる閉塞位置にある状態で、前記扉体が前記枠体に押し付けられる押付方向において当該枠体と当該扉体との間に介在する枠状の止水部材と、を備えた止水扉であって、
前記扉体は、複数の骨格部材と、前記骨格部材の両表面に取り付けられる扉表面材とを備え、屋内空間側の前記扉表面材が、屋内空間側から貫通されて前記骨格部材に到達する結合具により前記骨格部材に固定されていることを特徴とする、
止水扉。
【請求項２】
前記結合具の前記骨格部材に到達する貫通部の外周面にコーキング材が塗布されていることを特徴とする、
請求項１記載の止水扉。
【請求項３】
前記扉体は、前記結合具の前記扉体の内側に露出する前記貫通部を覆うカバー部材を備えることを特徴とする、
請求項２記載の止水扉。
【請求項４】
前記カバー部材は、前記骨格部材に取り付けられて、前記骨格部材と協同して前記貫通部を覆うことを特徴とする、
請求項３記載の止水扉。
【請求項５】
前記結合具は、屋内空間側の前記扉表面材に屋内空間側からねじ込まれるねじであることを特徴とする、
請求項１〜請求項４のうちいずれか一項に記載の止水扉。
【発明の詳細な説明】
【技術分野】
【０００１】
本発明は、止水扉に関する。
【背景技術】
【０００２】
従来の止水扉として、例えば、特許文献１には、環状の枠部材と、この枠部材の開口を塞止する扉部材とを備え、この扉部材にて開口を塞止することによって、開口からの浸水を阻止する止水扉装置が開示されている。この止水扉装置は、枠部材に、扉部材の周縁部を受ける環状の受部が設けてあり、この受部の適宜位置に扉部材に当接させる枠側凸部が開口に倣って延設してある。そして、この止水扉装置は、受部の枠側凸部の当接部分に、弾性材を用いてなる止水部材が延設してある。止水扉装置は、扉体が複数の骨格部材と骨格部材の両面に取り付けられた扉表面材とを備えている。
【先行技術文献】
【特許文献】
【０００３】
【特許文献１】特開２００７−０２３５４０号公報
【発明の概要】
【発明が解決しようとする課題】
【０００４】
ところで、上述の特許文献１に記載の止水扉装置は、容易に開閉するために、扉体の軽量化が望まれているが、軽量化のために骨格部材を削減すると、扉体内に浸入した水の水圧により扉表面材が骨格部材から剥がれることが懸念される。
【０００５】
本発明は、上記の事情に鑑みてなされたものであって、扉体の軽量化を図ることができ、扉表面材が骨格部材から剥がれることを抑制できる止水扉を提供することを目的とする。
【課題を解決するための手段】
【０００６】
上記目的を達成するために、本発明に係る止水扉は、構造物の屋外空間側と屋内空間側とを連通する開口に設けられる枠体と、前記枠体に回動可能に支持され前記開口を開閉する扉体と、前記扉体が前記開口を閉塞させる閉塞位置にある状態で、前記扉体が前記枠体に押し付けられる押付方向において当該枠体と当該扉体との間に介在する枠状の止水部材と、を備えた止水扉であって、前記扉体は、複数の骨格部材と、前記骨格部材の両表面に取り付けられる扉表面材とを備え、屋内空間側の前記扉表面材が、屋内空間側から貫通されて前記骨格部材に到達する結合具により前記骨格部材に固定されていることを特徴とする。
【０００７】
上記止水扉は、屋内空間側の扉表面材と骨格部材とを結合具により固定するので、骨格部材の数を削減しても、扉体内に浸入した水の水圧により屋内空間側の扉表面材が骨格部材から剥がれることを抑制できる。したがって、止水扉は、扉体の軽量化と扉表面材が骨格部材から剥がれることを抑制することができる。
【０００８】
また、上記止水扉では、前記結合具の前記骨格部材に到達する貫通部の外周面にコーキング材が塗布されているものとすることができる。
【０００９】
この場合、止水扉は、貫通部の外周にコーキング材が塗布されているので、屋内空間側の扉表面材と結合具との間から扉体内に浸入した水が屋内空間側に漏れることを抑制することができる。
【００１０】
また、上記止水扉では、前記扉体は、前記結合具の前記扉体の内側に露出する前記貫通部を覆うカバー部材を備えることものとすることができる。
【００１１】
この場合、止水扉は、扉体の内側に露出する結合具の貫通部を覆うカバー部材を備えているので、屋内空間側の扉表面材と結合具との間から扉体内に浸入した水が屋内空間側に漏れることを抑制することができる。
【００１２】
また、上記止水扉では、前記カバー部材は、前記骨格部材に取り付けられて、前記骨格部材と協同して前記貫通部を覆うものとすることができる。
【００１３】
この場合、止水扉は、カバー部材が骨格部材に取り付けられて、カバー部材が骨格部材とともに貫通部を覆うことができるので、結合具の周りからの屋内空間側への水が漏れることを抑制しながらも、カバー部材の構成を簡便にでき、軽量化を図ることができる。
【００１４】
また、上記止水扉では、前記結合具は、屋内空間側の前記扉表面材に屋内空間側からねじ込まれるねじとすることができる。
【００１５】
この場合、止水扉は、結合具として、扉表面材及び骨格部材との摩擦の大きなねじを用いるので、扉体内に浸入した水の水圧により屋内空間側の扉表面材が骨格部材から剥がれることを抑制できる。
【発明の効果】
【００１６】
本発明に係る止水扉は、扉体の軽量化を図ることができ、扉表面材が骨格部材から剥がれることを抑制できる、という効果を奏する。
【図面の簡単な説明】
【００１７】
【図１】図１は、実施形態に係る止水扉の概略構成を表す模式的な正面図である。
【図２】図２は、図１に示すＡ−Ａ断面図である。
【図３】図３は、実施形態に係る止水扉の概略構成を表す模式的な背面図である。
【図４】図４は、図３に示す扉体のＢ−Ｂ断面図である。
【図５】図５は、図４に示すＶ部を拡大して示す断面図である。
【図６】図６は、実施形態に係る止水扉の扉体の内側の概略構成を分解して示す斜視図である。
【図７】図７は、図５に示すＶＩＩ部を拡大して示す断面図である。
【図８】図８は、実施形態に係る止水扉のねじの頭の正面図である。
【図９】図９は、実施形態に係る止水扉の組み付け前の骨格部材に扉表面材を重ねた状態を示す断面図である。
【図１０】図１０は、図９に示された扉表面材に形成された孔にねじをねじ込んだ状態を示す断面図である。
【発明を実施するための形態】
【００１８】
以下に、本発明に係る実施形態を図面に基づいて詳細に説明する。なお、この実施形態によりこの発明が限定されるものではない。また、下記実施形態における構成要素には、当業者が置換可能かつ容易なもの、或いは実質的に同一のものが含まれる。
【００１９】
［実施形態］
図１は、実施形態に係る止水扉の概略構成を表す模式的な正面図である。図２は、図１に示すＡ−Ａ断面図である。図３は、実施形態に係る止水扉の概略構成を表す模式的な背面図である。図４は、図３に示す扉体のＢ−Ｂ断面図である。図５は、図４に示すＶ部を拡大して示す断面図である。図６は、実施形態に係る止水扉の扉体の内側の概略構成を分解して示す斜視図である。図７は、図５に示すＶＩＩ部を拡大して示す断面図である。図８は、実施形態に係る止水扉のねじの頭の正面図である。
【００２０】
図１、図２及び図３に示す本実施形態の止水扉１は、ビル、家屋、倉庫等の建築物を含む構造物Ｓに形成された開口Ｏを開放あるいは閉塞するものである。開口Ｏは、構造物Ｓの第１空間側（例えば、屋外空間側）と第２空間側（例えば、屋内空間側）とを連通するように形成される。本実施形態の止水扉１は、構造物Ｓの内部に水が浸入することを防止する、いわゆる止水扉である。本実施形態の止水扉１は、枠体４と、扉体５と、止水部材１００とを備える。
【００２１】
なお、以下の説明では、扉体５を閉塞位置に回動させる際の回動方向を「閉塞時回動方向」といい、扉体５を開放位置に回動させる際の回動方向を「開放時回動方向」という場合がある。また、閉塞時回動方向は、典型的には、開口Ｏを介して一方の空間側（屋外空間側）から他方の空間側（屋内空間側）へ水が浸入する可能性がある場合に、水が流動する可能性がある方向に沿った方向である。つまり、水の流動方向は、典型的には、開放時回動方向側が上流側、閉塞時回動方向側が下流側となる。また、水平方向に沿った方向であって後述の一対の縦枠部材４１が向かい合う方向を「扉幅方向」という場合がある。本明細書中、水が浸入する可能性がある場合に、上流側を屋外空間側、下流側（言い換えれば、水の浸入を阻止や抑制したい側）を屋内空間側という場合がある。なお、屋外や屋内とは水が浸入する可能性がある場合の上流や下流を意味する便宜上の文言であり、本発明は、例えば廊下等の通路のような家屋や部屋等の概念が必ずしも明確にならない場合に設置された止水扉に対しても適用できる。
【００２２】
枠体４は、構造物Ｓの開口Ｏに設けられる。枠体４は、一対の縦枠部材４１と、上枠部材４２及び下枠部材４３とを含んで構成される四方枠タイプとなっている。
【００２３】
一対の縦枠部材４１は、それぞれ開口Ｏの鉛直方向に沿った端面に１つずつ設けられる。一対の縦枠部材４１は、水平方向において開口Ｏの空間部分を挟んで対向し、扉幅方向において左右一対で設けられる。一対の縦枠部材４１は、鉛直方向に沿って設けられる。
【００２４】
上枠部材４２及び下枠部材４３は、それぞれ開口Ｏの水平方向に沿った端面に１つずつ設けられる。ここでは、上枠部材４２は、開口Ｏの水平方向に沿った端面であって鉛直方向上側の端面に設けられる。下枠部材４３は、開口Ｏの水平方向に沿った端面であって鉛直方向下側の端面に設けられる。上枠部材４２及び下枠部材４３は、鉛直方向において開口Ｏの空間部分を挟んで対向する。上枠部材４２及び下枠部材４３は、水平方向に沿って設けられる。
【００２５】
枠体４は、開口Ｏの内面側にて一対の縦枠部材４１の端部と上枠部材４２、下枠部材４３の端部とが連結されており、全体として開口Ｏに対応した環状のロの字型形状に構成される。枠体４は、開口Ｏの周囲を囲むように構造物Ｓに固定的に取り付けられている。一対の縦枠部材４１、上枠部材４２、下枠部材４３は、開口Ｏの各端面との間がコーキング材等により水密状態とされる。
【００２６】
さらに、枠体４は、各縦枠部材４１、上枠部材４２、下枠部材４３における開口Ｏの空間部分側に、止水部材１００を保持するための保持部４４を有する。保持部４４は、枠体４の各縦枠部材４１、上枠部材４２、下枠部材４３に沿って、全体として環状のロの字型形状に構成される。保持部４４は、枠体４の各縦枠部材４１、上枠部材４２、下枠部材４３において、開放時回動方向側、すなわち、屋外空間側に開口するように凹部状に形成され、当該凹部内に止水部材１００を収容、保持することができる。
【００２７】
扉体５は、枠体４に回動可能に支持され開口Ｏを開閉する開閉体である。すなわち、扉体５は、開口Ｏを開放あるいは閉塞する。本実施形態の扉体５は、片開き式の扉である。
【００２８】
扉体５は、当該扉体５を開閉するためのドアノブ５１等が設けられる。また、扉体５は、水平方向に沿った一方の端面に蝶番５２等が設けられる一方、他方の端面にラッチ５３等が設けられる。蝶番５２は、鉛直方向に沿った回動軸を中心として、扉体５を枠体４の一方の縦枠部材４１に回動可能に支持する。本実施形態の蝶番５２は、１つの回動軸を有する１軸蝶番によって構成される。本実施形態の蝶番５２は、鉛直方向に間をあけて２箇所に設けられる。ラッチ５３は、枠体４の他方の縦枠部材４１に形成される係合穴５３ａと係合することで、扉体５の戸先を当該縦枠部材４１に係合するものである。扉体５は、水平方向において蝶番５２が設けられる基端部側が吊り元側（言い換えれば、戸尻側）となる一方、吊り元側とは反対側、すなわち、ラッチ５３が設けられる先端部側が戸先側となる。扉体５は、さらに、不図示のドアクローザー等を備えていてもよい。
【００２９】
したがって、扉体５は、蝶番５２の回動軸を回動中心として、開口Ｏを閉塞させる閉塞位置（図２中に実線で図示）と、開口Ｏを開放させる開放位置（図２中に点線で図示）とに回動可能となる。そして、この扉体５は、閉塞位置にある状態でラッチ５３が縦枠部材４１に形成された係合穴５３ａと係合する。扉体５は、閉塞位置から開放位置側に回動されることで、屋外空間側に進出し開口Ｏを開放する。
【００３０】
止水部材１００は、扉体５が閉塞位置にある状態で開口Ｏを止水するものである。止水部材１００は、扉体５が閉塞位置にある状態で、扉体５が枠体４に押し付けられる押付方向Ｐにおいて当該枠体４と当該扉体５との間に介在する。本実施形態の止水部材１００は、枠体４側に設けられるものとして説明するがこれに限らず、扉体５側に設けられてもよい。ここで、扉体５が枠体４に押し付けられる押付方向Ｐとは、典型的には、扉体５に対して屋外空間側から水圧が作用した際に当該水圧による押し付け力が作用する方向であり、第１空間側（例えば、屋外空間側）から第２空間側（例えば、屋内空間側）に向う方向である。本実施形態では、押付方向Ｐは、閉塞位置にある扉体５の扉表面材５５ａ，５５ｂと直交する方向で屋内空間側に向う方向に相当する。
【００３１】
本実施形態の止水部材１００は、戸先側止水ゴム１０２、吊り元側止水ゴム１０３、上側止水ゴム１０４、及び、下側止水ゴム１０５を含んで構成される。戸先側止水ゴム１０２、吊り元側止水ゴム１０３、上側止水ゴム１０４、及び、下側止水ゴム１０５は、所定の弾性を有する弾性部材であり、例えば、独立気泡型の樹脂（止水ゴム）材や気泡を有しない柔らかめの樹脂等を用いることができる。戸先側止水ゴム１０２、吊り元側止水ゴム１０３、上側止水ゴム１０４、及び、下側止水ゴム１０５は、扉体５が閉塞位置にある状態で枠体４と扉体５との間に介在し、当該枠体４と扉体５との間を封止（シール）して流体の通過を防止する。さらに言えば、戸先側止水ゴム１０２、吊り元側止水ゴム１０３、上側止水ゴム１０４、及び、下側止水ゴム１０５は、扉体５の閉塞位置側への回動に応じて枠体４と扉体５との間で弾性変形し枠体４と扉体５とに密着し、当該枠体４と当該扉体５との間を密閉する。
【００３２】
戸先側止水ゴム１０２、吊り元側止水ゴム１０３は、鉛直方向に沿って設けられる一対の鉛直部材である。上側止水ゴム１０４、下側止水ゴム１０５は、水平方向に沿って設けられる一対の水平部材である。戸先側止水ゴム１０２、吊り元側止水ゴム１０３、上側止水ゴム１０４、及び、下側止水ゴム１０５は、棒状の部材として形成される。
【００３３】
より詳細には、戸先側止水ゴム１０２は、戸先側の縦枠部材４１の保持部４４内に収容、保持される。吊り元側止水ゴム１０３は、吊り元側の縦枠部材４１の保持部４４内に収容、保持される。上側止水ゴム１０４は、上枠部材４２の保持部４４内に収容、保持される。下側止水ゴム１０５は、下枠部材４３の保持部４４内に収容、保持される。戸先側止水ゴム１０２、吊り元側止水ゴム１０３、上側止水ゴム１０４、及び、下側止水ゴム１０５は、各保持部４４内で、各端部が水密状態（密着状態）となるように連続的に連結されている。戸先側止水ゴム１０２、吊り元側止水ゴム１０３、上側止水ゴム１０４、及び、下側止水ゴム１０５によって構成される止水部材１００は、全体として枠体４に対応した枠状のロの字型形状に構成される。
【００３４】
次に、図４に戻り、扉体５の構成について説明する。扉体５は、図４に示すように、框、縦桟、横桟等の複数の骨格部材５４と、骨格部材５４の両表面に取り付けられる扉表面材５５ａ，５５ｂと、カバー部材５６とを備えている。なお、図４には、骨格部材５４として縦桟を示し、他を省略している。扉体５は、互いに組み付けられた複数の骨格部材５４に対して、両表面から板状の扉表面材５５ａ，５５ｂを組み付けることで、全体として矩形パネル状の部材として構成される。
【００３５】
骨格部材５４は、図４に示すように、断面Ｃの字型形状に形成され、扉表面材５５ａ，５５ｂが重ねられる互いに平行な一対の重なり板部５４ａ，５４ｂと、一対の重なり板部５４ａ，５４ｂの一端部同士を連結した連結板部５４ｃと、一対の重なり板部５４ａ，５４ｂの他端部から当該一対の重なり板部５４ａ，５４ｂ同士が近づく方向に延びた内側延在板部５４ｄとを一体に備えている。
【００３６】
扉表面材５５ａ，５５ｂは、例えば、ステンレス鋼などの溶接により変色するなどの美観を損なう金属で構成され、平板状に形成されている。屋外空間側の扉表面材５５ａは、接着剤などにより骨格部材５４の一方の重なり板部５４ａに固定されている。屋内空間側の扉表面材５５ｂは、屋内空間側から貫通されて骨格部材５４に到達するねじ５７（結合具に相当）により骨格部材５４の他方の重なり板部５４ｂに固定されている。
【００３７】
ねじ５７は、屋内空間側の扉表面材５５ｂに屋内空間側からねじ込まれるねじである。ねじ５７として、本実施形態では、周知のタッピングねじが用いられる。また、本発明では、これに限定することなく、種々のねじを用いてもよい。また、本発明では、結合具としてねじ５７であれば、扉表面材５５ｂ及び骨格部材５４との摩擦が大きくなるので、好ましいが、使用上水圧に耐え得るのであれば、結合具としてねじ５７に替えて例えば釘等の扉表面材５５ｂを貫通して骨格部材５４に到達するものを用いてもよい。ねじ５７は、図８に示すように、頭５７ａの表面に星形の穴が形成された所謂いじり止めねじとなっている。ねじ５７は、本実施形態では、図３に示すように、扉表面材５５ａ，５５ｂに鉛直方向、水平方向に等間隔に配置され、扉体５内に浸入した水から想定される水圧が作用した際に、扉表面材５５ｂが骨格部材５４から剥がれることなく、水圧に耐え得る位置に配置されている。また、本発明では、想定される水圧に耐え得るのであれば、ねじ５７は、扉体５の下方から上方に向かうにしたがって徐々に疎となる位置、即ち、互いに隣り合うもの同士の間隔が広くなる位置に配置されてもよい。
【００３８】
ねじ５７の骨格部材５４に到達するねじ部５７ｂ（貫通部に相当）は、屋内空間側の扉表面材５５ｂ及び骨格部材５４の他方の重なり板部５４ｂを貫通して、図５及び図６に示すように、扉体５の内側に露出している。ねじ５７のねじ部５７ｂの外周面には、図７に示すように、コーキング材５８が塗布されている。コーキング材５８は、ねじ部５７ｂの外周面と、扉表面材５５ａ，５５ｂ及び重なり板部５４ｂに形成された貫通孔５９との間に充填されている。コーキング材５８は、ねじ部５７ｂの外周面と、扉表面材５５ａ，５５ｂ及び他方の重なり板部５４ｂに形成された貫通孔５９との間を止水する。コーキング材５８は、シリコーン系、変性シリコーン系、ポリウレタン系などの樹脂で構成されている。
【００３９】
カバー部材５６は、骨格部材５４に取り付けられて、ねじ５７の扉体５の内側に露出するねじ部５７ｂを、骨格部材５４と協同して覆うものである。カバー部材５６は、薄手の板金などで構成され、図６に示すように、コの字型形状に形成されたカバー部５６ａと、カバー部５６ａに連なった一対の扉表面材固定部５６ｂとを備えている。カバー部５６ａは、互いに平行な一対の平行板部５６ｃと、平行板部５６ｃの一端部同士を連結した連結板部５６ｄとを一体に備えている。一対の扉表面材固定部５６ｂは、平行板部５６ｃの他端部から互いに離れる方向に延びている。一対の扉表面材固定部５６ｂは、連結板部５６ｄと平行である。
【００４０】
カバー部材５６は、カバー部５６ａが扉体５の内側に露出するねじ部５７ｂを覆う位置に配置され、扉表面材固定部５６ｂが接着剤により重なり板部５４ｂに固定される。また、カバー部材５６は、骨格部材５４の連結板部５４ｃと内側延在板部５４ｄとの間に配置され、骨格部材５４の連結板部５４ｃと内側延在板部５４ｄとの間にコーキング材５８が充填されている。コーキング材５８によりカバー部材５６と骨格部材５４とで囲まれる空間、すなわち、扉体５の内側に露出するねじ部５７ｂを覆う空間には、扉体５内に浸入した水が浸入することが規制される。
【００４１】
次に、扉表面材５５ｂを骨格部材５４の他方の重なり板部５４ｂに組み付ける工程の一例を図９及び図１０を参照して説明する。図９は、実施形態に係る止水扉の組み付け前の骨格部材に扉表面材を重ねた状態を示す断面図である。図１０は、図９に示された扉表面材に形成された孔にねじをねじ込んだ状態を示す断面図である。
【００４２】
扉表面材５５ｂを骨格部材５４の他方の重なり板部５４ｂに組み付ける前に、図９に示すように、扉表面材５５ｂのねじ５７がねじ込まれる位置に、ねじ部５７ｂの外径よりも小径な孔５９ａを形成しておく。さらに、骨格部材５４の他方の重なり板部５４ｂのねじ５７がねじ込まれる位置に、ねじ５７を位置決めするための凹み５９ｂを形成しておく。そして、図９に示すように、孔５９ａと凹み５９ｂとが連通する位置に扉表面材５５ｂと骨格部材５４を位置決めした後に、孔５９ａにねじ５７のねじ部５７ｂをねじ込む。そして、ねじ５７を孔５９ａの内径を広げながらねじ込み、図１０に示すように、扉表面材５５ｂを貫通させた後に、凹み５９ｂ内に侵入させる。さらに、ねじ５７をねじ込んで、ねじ部５７ｂが骨格部材５４の他方の重なり板部５４ｂを貫通して、扉表面材５５ｂが骨格部材５４の他方の重なり板部５４ｂに組み付けられる。その後、カバー部材５６、扉表面材５５ａなどが組み付けられるなどして、扉体５が組み立てられる。
【００４３】
上記のように構成される止水扉１は、水圧が作用していない初期状態に対して、屋外空間側から水圧が作用する水圧状態では、扉体５の戸先側が水圧によって屋内空間側、言い換えれば、枠体４側に押し込まれることとなる。一方、水圧状態とは、扉体５に対して屋外空間側から所定の大きさの水圧が作用している状態である。水圧状態では、止水扉１は、扉体５に対して屋外空間側から水圧が作用すると、戸先側止水ゴム１０２、吊り元側止水ゴム１０３や上側止水ゴム１０４、下側止水ゴム１０５の戸先側が枠体４と扉体５との間で押付方向Ｐに十分に押しつぶされて、適正な止水性能を確保することができる。
【００４４】
また、水圧状態では、止水扉１は、骨格部材５４と扉表面材５５ａ，５５ｂなどとの隙間から扉体５内に水が浸入する。扉体５内に侵入した水の水圧は、扉表面材５５ｂを屋内空間側に押圧して、扉表面材５５ｂを骨格部材５４から剥がそうとする。このとき、ねじ５７が水圧に耐え得る位置に配置されているので、扉表面材５５ｂが骨格部材５４から剥がれることを抑制できる。また、扉体５内に浸入した水は、カバー部材５６と骨格部材５４とで囲む空間内に浸入しようとするが、カバー部材５６が水圧により骨格部材５４に押し付けられ、コーキング材５８によりカバー部材５６と骨格部材５４との間が止水されているので、カバー部材５６と骨格部材５４とで囲む空間内に水が浸入することが規制される。また、仮に、カバー部材５６と骨格部材５４とで囲む空間内に水が浸入しても、ねじ５７のねじ部５７ｂの外周面と貫通孔５９との間にコーキング材５８が充填されているので、扉体５内に浸入した水がねじ５７の周りから屋内空間側に漏れることを規制できる。
【００４５】
以上で説明した実施形態に係る止水扉１によれば、屋内空間側の扉表面材５５ｂと骨格部材５４とをねじ５７により固定するので、骨格部材５４の数を削減しても、扉体５内に浸入した水の水圧により屋内空間側の扉表面材５５ｂが骨格部材５４から剥がれることを抑制できる。したがって、止水扉１は、扉体５の軽量化を図ることができ、扉表面材５５ｂが骨格部材５４から剥がれることを抑制することができる。
【００４６】
また、止水扉１は、ねじ５７のねじ部５７ｂの外周面にコーキング材５８が塗布されているので、屋内空間側の扉表面材５５ｂとねじ５７との間から扉体５内に浸入した水が屋内空間側に漏れることを抑制することができる。したがって、止水扉１は、開口Ｏを止水することができる。さらに、止水扉１は、結合具としてねじ５７を用いるので、骨格部材５４の数を削減しても、扉体５内に浸入した水の水圧により屋内空間側の扉表面材５５ｂが骨格部材５４から剥がれることを抑制できる。
【００４７】
また、止水扉１は、扉体５の内側に露出するねじ５７のねじ部５７ｂを覆うカバー部材５６を備えている。また、カバー部材５６が、骨格部材５４に取り付けられて、骨格部材５４とともにねじ５７のねじ部５７ｂを覆い、カバー部材５６と骨格部材５４との間がコーキング材５８により止水されている。このために、止水扉１は、カバー部材５６と骨格部材５４とでねじ部５７ｂを囲む空間内に扉体５内に浸入した水が浸入することを抑制でき、ねじ５７の周りから扉体５内に浸入した水が屋内空間側に漏れることを確実に抑制することができる。さらに、止水扉１は、カバー部材５６が骨格部材５４に取り付けられて、骨格部材５４とともにねじ部５７ｂを覆うので、カバー部材５６の構成を簡便にすることができ、軽量化を図ることができる。
【００４８】
前述した実施形態では、カバー部材５６を骨格部材５４に取り付けたが、本発明では、これに限定されることなく、カバー部材５６を扉表面材５５ｂに取り付けてもよく、骨格部材５４と協同せずに単独でねじ部５７ｂを覆ってもよい。さらに、本発明では、カバー部材５６は、前述した実施形態に記載された形状に限定されることなく、ねじ部５７ｂを単独又は骨格部材５４などと協同して覆うことができれば、種々の形状に形成してもよい。
【００４９】
なお、上述した本発明の実施形態に係る止水扉は、上述した実施形態に限定されず、特許請求の範囲に記載された範囲で種々の変更が可能である。
【符号の説明】
【００５０】
１    止水扉
４    枠体
５    扉体
５４    骨格部材
５５ａ，５５ｂ    扉表面材
５６    カバー部材
５７    ねじ（結合具）
５７ｂ    ねじ部（貫通部）
５８    コーキング材
１００    止水部材
Ｓ    構造物
Ｏ    開口
Ｐ    押付方向
【図１】
2015148096.tif 000003
【図２】
2015148096.tif 000004
【図３】
2015148096.tif 000005
【図４】
2015148096.tif 000006
【図５】
2015148096.tif 000007
【図６】
2015148096.tif 000008
【図７】
2015148096.tif 000009
【図８】
2015148096.tif 000010
【図９】
2015148096.tif 000011
【図１０】
2015148096.tif 000012